(57)【要約】  本発明は、壁と、少なくともその端部が前記壁に載置されている複数の屋根組みと、前記屋根組みによって支持される音響反射屋根カバーとを備えたホールの吸音屋根構造に関する。前記屋根組みの複数の側面には、吸音体要素で構成された吸収体ストリップが取り付けられている。前記吸収体ストリップを有する隣接した屋根組み間では、前記屋根カバーの音響反射部が、前記屋根組みの平均高さの少なくとも２倍の幅でそれぞれ延びている。また、本発明は、壁と、ホールを上方に閉じる屋根構造とを備えたホールにおいて配置されている吸音体要素を含む吸音体構成であって、前記屋根構造は複数の屋根組みと、前記屋根組みによって支持される屋根カバーとを含むことを特徴とする吸音体構成に関する。本発明によれば、前記屋根組みの両側面に、並置された吸音体要素によって構成された吸収体ストリップが取り付けられている。
2021502502.tif 000002
【特許請求の範囲】
【請求項１】
壁（０２）と、少なくともその端部が前記壁（０２）に載置されている複数の屋根組み（０３）と、前記屋根組み（０３）によって支持される音響反射屋根カバー（０６）とを備えたホール（０１）の吸音屋根構造であって、
前記屋根組み（０３）の複数の側面には、吸音体要素で構成された吸収体ストリップ（０４）が取り付けられており、
前記吸収体ストリップ（０４）を有する隣接した屋根組み（０３）間では、前記屋根カバー（０６）の音響反射部が、前記屋根組み（０３）の平均高さの少なくとも２倍の幅でそれぞれ延びていることを特徴とする吸音屋根構造。
【請求項２】
前記吸収体ストリップ（０４）が、前記ホール（０１）内部にある全ての屋根組み（０３）の側面を略完全に覆うことを特徴とする、請求項１に記載の吸音屋根構造。
【請求項３】
さらなる吸収体ストリップ（０４）が、前記壁（０２）の上縁に沿って、および／または前記屋根構造における隣接する屋根組み（０３）間で延びることを特徴とする、請求項１または２に記載の吸音屋根構造。
【請求項４】
同じ屋根組み（０３）上で対向する前記吸収体ストリップ（０４）の間に音響的に硬い反射壁（１２）が配置されており、
前記反射壁は、前記屋根組み（０３）の上弦（０８）および下弦（０９）の間で延びていることを特徴とする、請求項１から３のいずれか１項に記載の吸音屋根構造。
【請求項５】
前記吸収体ストリップ（０４）と前記反射壁（１２）との間に空隙が残っていることを特徴とする、請求項４に記載の吸音屋根構造。
【請求項６】
前記吸収体ストリップ（０４）の前記吸音体要素は、２０〜６５ｍｍの厚さ、好ましくは２５ｍｍの厚さを有することを特徴とする、請求項１から５のいずれか１項に記載の吸音屋根構造。
【請求項７】
前記吸収体ストリップ（０４）の前記吸音体要素は、７〜１５ｋＰａ・ｓ／ｍ４の範囲の長さ特有の流れ抵抗を有することを特徴とする、請求項１から６のいずれか１項に記載の吸音屋根構造。
【請求項８】
前記吸音体要素は、非延性の発泡材、特に、膨張ガラス粒子を含むガラスベースの発泡材からなることを特徴とする、請求項１から７のいずれか１項に記載の吸音屋根構造。
【請求項９】
前記吸音体要素は、粒径０．２５〜４ｍｍの膨張ガラス粒子からなり、前記粒子は板状に焼結されているか、結合剤を添加して結合され、長さ特有の流れ抵抗は９〜１１ｋＰａ・ｓ／ｍ４の範囲内にあることを特徴とする、請求項８に記載の吸音屋根構造。
【請求項１０】
前記屋根組み（０３）はその平均高さの４倍以上離間していることを特徴とする、請求項１から９のいずれか１項に記載の吸音屋根構造。
【請求項１１】
前記吸収体ストリップ（０４）によって前記屋根組み（０３）の側面で占有される面積は、前記屋根カバー（０６）の投影面積よりも小さいことを特徴とする、請求項１から１０のいずれか１項に記載の吸音屋根構造。
【請求項１２】
前記吸収体ストリップ（０４）で覆われた前記屋根組み（０３）の側面の間に延びる前記屋根カバー（０６）は、吸音材で覆われていないことを特徴とする、請求項１から１１のいずれか１項に記載の吸音屋根構造。
【請求項１３】
壁（０２）とホール（０１）の上方を閉じる屋根構造とを備えたホール（０１）において配置されている複数の吸音体要素を含む吸音体構成であって、
前記屋根構造は、前記壁に載置される複数の屋根組み（０３）と、前記屋根組み（０３）によって支持される屋根カバー（０６）とを含み、
複数の前記屋根組み（０３）の両側面にそれぞれ吸収体ストリップ（０４）が取り付けられ、吸収体ストリップ（０４）を有する前記屋根組み（０３）間で、前記吸収体ストリップの高さの２倍より大きい幅を有する前記屋根カバー（０６）が延びることを特徴とする吸音体構成。
【請求項１４】
請求項１から１２のいずれか１項に記載の吸音屋根構造を含むことを特徴とする、残響時間を低減したホール（０１）。
【発明の詳細な説明】
【技術分野】
【０００１】
本発明は、吸音体要素およびこのような要素からなる吸音性吸収体ストリップを用いた、ホールの吸音屋根構造、吸音体構成および残響時間を低減したホールに関する。
【背景技術】
【０００２】
室内音響を改善するための吸音体要素、すなわち、より良い音声明瞭度と聴覚保護のための要素は、長い間公知である。プラスターボードや繊維板からなる音響天井は、室内音響を改善し、残響を低減し、音のエネルギーを熱に変換する。さらに、例えば、様々な角度およびサイズで壁に取り付けられ、低音周波数を吸収するための低域吸収体として機能するパネルなどの、音響壁板も公知である。高音周波数を吸収するために、所定距離で壁に取り付けられる穴あき板の使用が一般的である。パネルと壁の間には、発泡材やフェルトなどの吸音材や消音材がある。
【０００３】
特許文献１は、低周波数用の縁部吸音体の方法による吸音体構成を示している。この構成は、トラフ形状、好ましくは直方体状の容器と、その中にある繊維状または多孔質の吸収材とを含み、この容器は非透音性または透音性カバーを有する。容器は、室内の隅または縁部の壁または天井に配置されている。吸音体構成は、室内に面する全ての側面が非透音性構成であることを特徴とする。壁または天井に対して斜めに、好ましくは垂直に配置される側面のみが、より小さい面積で吸収性を有するように構成されている。所望の効果を達成するために、使用される容器は最小サイズを有する必要があり、そのためには、対応する場所が局所的に設けられなければならない。好ましい実施形態は、例えば、４００ｍｍ×５００ｍｍの厚さの均質な繊維状吸収体を使用し、この吸収体は、室内縁部付近の床上に配置されている。
【０００４】
特許文献２には、特に屋外で使用するための吸音部材が記載されており、吸音カバー層と、その中に埋め込まれ、カバー層と比較して吸収度が高い吸音体要素とを含む。
【０００５】
特許文献３には、鉄筋コンクリート要素が記載されており、その表面には、部分的に露出した、吸音性の、少なくとも部分的に開放気泡である発泡材料が配置されている。鉄筋は部分的に発泡材料で囲まれている。また、ジオポリマからなる複数の吸収体ストリップを有する天井要素も示されている。コンクリート要素を天井板として使用する場合、使用した吸収体ストリップは縦方向に延びるが、壁および天井の間の縁部領域には延びない。
【０００６】
焼結膨張ガラス粒子からなる吸音体要素は、例えば、リアヴァル有限合資会社（Ｌｉａｖｅｒ  ＧｍｂＨ＆Ｃｏ．ＫＧ）が商品名レアポ（Ｒｅａｐｏ）で供給しているように、市販されている。
【０００７】
ベルリンのアーベーツェー・アクスティーク有限会社（ＡＢＣ  Ａｋｕｓｔｉｋ  ＧｍｂＨ、Ｂｅｒｌｉｎ）の２０１１年の製品シートには、最大床面積２０ｍ２、室内容積６０ｍ３の室内に後付けするための室内音響ソリューションが記載されており、ここで室内の対向側は５ｍ以上離れてはならない。このために、メラミン樹脂をベースとした開放気泡発泡材で作られた吸収体が、積層エッジの形態で天井および壁の間の室内上縁部に取り付けられる。吸収体は、約１４〜３５ｃｍ部屋に突き出ており、このため、裏面に吸収体および建物壁面の間の空気スペースがある。吸収体は、特別なハンガーで天井に取り付ける必要がある。
【０００８】
特許文献４には、室内の反射音を除去するための音響吸収プレート要素が記載されており、この要素は、吊り天井または付属壁として構成できる。
【０００９】
特許文献５には、内壁および天井の吸音システムについて記載されている。ここでは、吸音体要素は例えば天井に取り付けられ、壁に延びている。対応する要素が天井と壁の両方に配置された構成も示されている。
【００１０】
既知である、効率的に作用する吸音器ソリューションの多くは、音響改善されるべき室内に最初から設置しなければならないか、高い費用をかけて後付けする必要がある。ここで、多くの場合、機能的、構造的、デザイン的観点から、音響効果と室内の他のデザインとの間に目標の矛盾が生じる。例えば、天井全面を吸音パネルで覆うことによって良好な音響効果を達成できるが、天井の空調要素を配置することは不可能になる。既存室内の吸音天井の後付けは構造的に複雑であり経済的に費用がかかるため、ほとんど使用されていない。大容量の縁部吸収体の配置は、室内の美的感覚を著しく損なうことが多い。
【００１１】
優先日に公開されていない特許出願ＰＣＴ／ＥＰ２０１７／０６１５２４号からは、複数の吸音体要素から構成されている吸音体構成が公知である。複数の隣接する吸音体要素は、室内の壁と天井との間を延びる上方の隣接縁部に沿った部分に少なくとも延在する１つまたは複数の吸収体ストリップを形成する。
【００１２】
産業ホールやスポーツホールのような、より大きな物体における（後付けの）防音手段は、特に問題があり複雑であることがわかる。それらは、今日では、厳しい防音規定が作られている。例えば、「騒音防止ワークシートＩＦＡ−ＬＳＡ０１−２３４、産業用作業室の室内音響、２０１４年８月」を参照している。
【００１３】
室内容量が大きいために、産業ホールの壁に取り付けられた吸収体は、通常、ホール領域であまり吸音効果を生じない。さらに、これらの表面は他の目的のために必要とされるため、少ない吸収体要素を壁に取り付けることができるか、または全く取り付けられない。特に産業ホールでは、規則的に非常に硬い床があり、吸音装置がほとんどないため、機械を使用したり硬い材料を加工したりすると、騒音レベルが非常に急速に聴覚に有害な範囲となる。ほとんどの場合、これに対して個々の防音保護具しか使用できないが、これは不快であり、このような産業ホールでの人々のコミュニケーションをより困難にしている。当該の防音規定を適用すると、従来技術では吸収体表面が非常に大きくなり、これは実行不可能であるか、非常に高価になる。
【００１４】
特許文献６は、建物用の単体屋根要素を示し、この要素は、その両端が壁に置かれており、特にホールに使用することができる。屋根要素は、水平で長手方向に延びるプロファイル弦（Ｐｒｏｆｉｌｇｕｒｔ）を有し、これらのプロファイル弦は、垂直対称面に対称的に、対で配置されている。弦はトラス構造で結合されている。断熱または防音を達成するために、トラスによって張られた面の内側をマットで覆うことができる。防音材で覆われるべき表面は、水平に延びる外側の屋根カバーに対して鈍角で延在するため、得られる防音面は屋根カバーの投影面よりも著しく大きい。これは、効果的な遮音または防音のためには広い面積を絶縁材料で覆う必要があるという通常の想定に従うが、これもまた、費用が高くなる。
【先行技術文献】
【特許文献】
【００１５】
【特許文献１】独国特許出願公開第１０２０１１１０５６０８１号明細書
【特許文献２】独国特許出願公開第１０２０１５１０９８０８号明細書
【特許文献３】欧州特許出願公開第２８６８８２６号明細書
【特許文献４】独国実用新案第２００２２６８５号
【特許文献５】国際公開第９５／３０８０４号明細書
【特許文献６】独国特許出願公開第２３４７１３６号明細書
【発明の概要】
【発明が解決しようとする課題】
【００１６】
したがって、本発明の課題は、従来技術に基づいて、より大きなホール（５００〜５０，０００ｍ３容積）、特に産業ホールのための改善された吸音屋根構造、および吸音体構成を提供することである。使用される吸音体構成は、ホールの本来の使用を阻害せず、特に、壁面を使用しないか、または少ない壁面のみを使用するべきである。同時に、少量の材料で大きな吸収効果を達成し、これにより、特にホールの後付け防音設備の費用は、ホール面積や室内容量が大きいにもかかわらず、低いままであるべきである。広域周波数範囲でホール音響の大幅な改善を達成するべきである。同時に、吸音屋根構造は、ほぼ無制限の床面積を有するホールにおいて、所望の吸収結果を達成するようにすべきである。
【課題を解決するための手段】
【００１７】
上記課題を解決するために、添付の請求項１にかかる吸音屋根構造と、請求項１３にかかる吸音体構成とが使用される。上記課題は、さらに、請求項１４にかかる残響時間を減少させたホールによって解決される。
【００１８】
本発明にかかる吸音屋根構造は、壁と、少なくともその端部が壁に載置されている複数の屋根組みと、屋根組みによって支持される音響反射屋根カバーとを備えたホールの構造構成要素である。複数の、あるいは全ての屋根組みの側面には、吸音体要素で構成された吸収体ストリップが取り付けられている。吸収体ストリップを有する隣接する屋根組み間では、屋根カバーの音響反射部が、屋根組みの平均高さの少なくとも２倍の幅でそれぞれ延びている。
【００１９】
本発明にかかる吸音体構成は、壁と、ホールを上方に閉じる屋根構造とを備えたホールにおいて配置されている複数の吸音体要素を含む。屋根構造は、壁に載置される複数の屋根組みと、屋根組みによって支持される屋根カバーとを有する。本発明によれば、複数または全ての屋根組みの両側面に吸収体ストリップが取り付けられ、これらは並置された吸音体要素から構成されている。ここで、屋根組みは規則的に平均高さの２倍以上、好ましくは４倍以上離間しており、そのため、吸収体ストリップによって占有される面積は、いずれの場合も、屋根カバーの投影面積よりも小さくなる。吸音体構成の機能方法には、吸収体ストリップで覆われた屋根組みの側面の間に、吸収体ストリップに対して好ましくは直角に延び、吸収体で覆われていない屋根カバーによって形成される反射面が存在していることが重要である。
【００２０】
驚くべきことに、屋根組みの側面への吸収体要素の取り付けは、単独で著しい吸音をもたらすことが示されているが、これは他の場合では、本質的により大きい面積を消費することによってのみ可能となるであろう。ホール内の屋根組みの側面は、通常、他の設備には必要とされないため、吸収体要素に利用可能である。屋根構造内部の容積は、産業ホールでは大抵全く使用されていない。
【００２１】
規則的な音響的硬さ（ｓｃｈａｌｌｈａｒｔ）を有し、したがって音を強く反射する屋根カバーの内側は、本発明によれば、意図的にさらなる反射面として作用し、これはホールの内部で発生した音波を吸収体要素に反射し、よって音波はそこで減衰するか、場合によって完全に吸収される。
【００２２】
屋根組みは異なる構造を有することができる。屋根組みが、吸収体ストリップを配置できる２つの側面を提供することが、本発明にとって重要であるに過ぎない。原則として、隣接する屋根組みは数メートル離間しており、好ましくは４〜８メートル、特に約５〜６メートル離間している。屋根構造の内部は、通常下弦によって形成されている屋根組みの下端から、屋根組みの上弦に載置されている屋根カバーの内側まで延びる。典型的には、下弦と上弦とは、互いに所定の角度に延び、それにより、屋根組みの側面は、台形または三角形の形状を有する。屋根組みは、ここで関連する用途に対して３００〜１，５００ｍｍの高さを有する。平行またはほぼ平行な上弦および下弦を有する屋根組みは、桁またはトラス桁とも呼ばれる。上弦および下弦の間には、梁状またはシート状の筋交いを配置できる。屋根組みの端部はホールの壁面に載置され、支持幅が大きい場合、場合によって付加的に支持できる。
【００２３】
吸音屋根構造または吸音体構成の好ましい実施形態によれば、吸収体ストリップは、場合によっては上弦および下弦を解放して、屋根組みの側面を略完全に覆う。ここで、吸収体ストリップは、好ましくは、４００〜１５００ｍｍの範囲の幅を有し、ひいては屋根組みの高さに従う。吸収体ストリップは、例えば、単純な金属プロファイルを用いて、上弦および下弦に固定することができる。吸音パネルの接着または他の固定も可能である。
【００２４】
吸音屋根構造または吸音体構成のさらなる改善形態において、壁の上縁に沿って、および／または隣接する屋根組み間で、屋根構造における屋根組みの側面に垂直に延びるさらなる吸収体ストリップが使用される。これらのさらなる吸収体ストリップは、屋根組み間の屋根カバーの小さい部分のみ、特に屋根カバー面積の４分の１未満を覆う。
【００２５】
吸音屋根構造または吸音体構成の特に好ましい実施形態は、屋根組み上で対向する吸収体ストリップの間に反射面が配置されており、反射面は、屋根組みの上弦および下弦の間で延びていることを特徴とする。この反射面は、屋根組みの一体的な部分であってもよいし、別個の構成部材として使用されてもよい。音波が発生すると、これはまず吸音体要素を通過して減衰され、その裏面から出射し、次いで、好ましくは空隙を通過した後に、反射面に当たり、これによって、そこで再び減衰されるために吸音体要素に反射される。
【００２６】
好ましくは、吸音体要素は２０〜６５ｍｍの厚さ、特に好ましくは約２５ｍｍの厚さを有する。さらに、吸音体要素が、７〜１５ｋＰａ・ｓ／ｍ４、好ましくは８〜１２ｋＰａ・ｓ／ｍ４、特に好ましくは約１０ｋＰａ・ｓ／ｍ４の範囲の長さ特有の流れ抵抗を有すると有利である。
【００２７】
好ましい実施態様では、吸音体要素は、非延性の発泡材、特にガラスベースの、音響的に有効な拡散開放発泡材からなり、これは膨張ガラス粒子を含む。好ましくは、吸音体要素は、粒径０．２５〜４ｍｍの膨張ガラス粒子からなり、粒子は板状に焼結されているか、結合剤を添加して結合され、長さ特有の流れ抵抗は、好ましくは９〜１１ｋＰａ・ｓ／ｍ４の範囲内にある。吸音体要素の好ましい長さ特有の流れ抵抗は、使用する粒径、すなわち、好ましくは板状に構成された吸音体要素おける粒径分布、および／または製造時に膨張ガス粒子に添加される結合材の割合によって容易に設定できる。
【００２８】
吸収体ストリップに使用される材料は、好ましくは湿った部屋に適しており、耐霜性、不燃性、および非常に軽量である。また、問題なく切断することもできる。重量が低いため、屋根組みに静力学上の問題はないが、これは、これらが通常、約２５〜３０ｋｇ／ｍ２の設置荷重用に設計されているためである。
【００２９】
本発明の機能性にとって有利なのは、吸音体要素が７〜１５ｋＰａ・ｓ／ｍ４、好ましくは９〜１１ｋＰａ・ｓ／ｍ４の範囲の長さ特有の流れ抵抗を有することであり、吸音体要素内の流れ抵抗はできるだけ均一であるべきである。
【００３０】
残響時間を減らした本発明にかかるホールは、異なる目的に使用でき、特に、産業または作業ホール、スポーツホールまたはスイミングプールとして使用することができる。それは、壁および屋根構造を有し、屋根構造は、壁に載置される複数の屋根組みと、屋根組みによって支持される屋根カバーとを含む。複数のまたは全ての屋根組みには、上述した吸音体構成が配置されている。
【００３１】
残響時間を低減した本発明により実現されるホールの主な利点は、屋根組みに吸収体ストリップを配置することにより、特に高い吸音を達成できることである。この高い吸収効果は、とりわけ、この領域で屋根の内側カバーに生じる音波の反射によって達成される。吸音体構成は、手間をかけずに既存のホールに後付けすることができ、定期的に使用されない屋根部屋での設置スペースをほとんど必要としない。屋根組み上に吸収体ストリップを配置することにより、ホール内の他の使用のために利用可能な面積および容積は、制限されないか、または最小限に制限されるのみである。
【００３２】
屋根組みの側面に吸音体要素を本発明により使用することで、吸音材の体積が少なく、吸音材構成が占める面積が広域周波数範囲で、非常に効果的な吸音を達成することが初めて可能となる。特に、比較的薄い吸音体要素を、音響的に高反射性の屋根カバーのすぐ近くに取り付けることができる。この特に効果的な吸収のためには、長さ特有の流れ抵抗を、例えば使用される吸音体要素の粒径および材料組成を適宜選択することで、上記の範囲で設定することが好ましい。特に好ましくは、吸音体要素は、粒径０．２５〜４ｍｍの膨張ガラス粒子からなり、この粒子は板状に焼結されるか、付加された結合剤で結合されている。
【００３３】
このように、本発明はホール内で、吸音体要素の上記の性質と、それらの上記の構成との組み合わせを使用する。
【００３４】
特に好ましい実施形態によれば、さらなる吸収体ストリップは、ホールの壁の上端部において延在する。
【００３５】
屋根組みの数がそれに対応して増加するため、吸音体構成の使用を任意でスケーリングできるため、残響時間を減らしたホールのための特定のサイズ制限はない。
【００３６】
本発明によって使用される吸音体構成を用いることにより、通信室における所望の値に対応するホールにおいて、０．６〜１．３秒の範囲の残響時間を達成することができる。吸音体構成は、２５０Ｈｚ〜４ｋＨｚの周波数範囲の減衰に特に適している。
【００３７】
本発明にかかる吸音体構成、およびそれを装備したホールのさらなる詳細および利点は、図面を参照して、好適な実施形態を以下に詳述することでわかる。
【図面の簡単な説明】
【００３８】
【図１】残響時間を低減した本発明にかかるホールの第１実施形態の、縮尺通りでない天井伏図を示す。
【図２】屋根組みに固定された屋根カバーおよび吸収体ストリップ上の音波の進み方の概略図を示す。
【図３】残響時間を低減したホールの第２の実施形態の、縮尺通りでない天井伏図を示す。
【図４】後付けされる２つの実施態様における、屋根組み上の吸収体ストリップ構成の詳細図を示す。
【図５】組み込まれた２つの実施態様における、屋根組み上の吸収体ストリップ構成の詳細図を示す。
【図６】異なる構成のホールにおける、広域周波数範囲にわたった残響時間の測定値を表す図を示す。
【発明を実施するための形態】
【００３９】
図１は、残響時間を低減した本発明にかかるホール０１の、縮尺通りでない天井伏図を示す。ホールの床面積は、例えば２１．５ｍｘ１７．５ｍまで延びる。ホールには、吸音屋根構造として形成された、本発明にかかる吸音体構成が装備されている。ホール０１は、壁０２と、屋根カバー０６（図２）を支持する３つの内部屋根組み０３とを有する。屋根組み０３の側面には、吸収体ストリップ０４が取り付けられ、略側面全体を覆う。両側を吸収体ストリップで覆った屋根組みは、図示の例では約５．４ｍ離間している。端壁とそれぞれ次の屋根組みとの間にはほぼ同じ間隔がある。屋根組み０３の間には、音響的硬さを有し、その幅が屋根組みの平均高さの２倍より大きい屋根カバー０６の部分がそれぞれ延びている。
【００４０】
各吸収体ストリップ０４は、１つまたは好ましくは複数の非延性の発泡材からなる吸音体要素、好ましくは膨張ガラス粒子成分を有するガラスベースの発泡材から構成される。この素材は、消音に適しており、加工が容易である。吸音体要素は、例えば吸収係数α＝０．４を有する。
【００４１】
吸収体ストリップは、屋根組みの高さに適合した幅と、例えば２５ｍｍの厚さとを有する。吸収体ストリップ０４は、好ましくは板状に構成されている。吸収体ストリップを形成するために、複数の吸音体要素は、全く、またはほとんど隙間なく並置されている。吸音体要素間の距離が小さいと、場合によっては音響減衰結果に限界がある。
【００４２】
図２は、屋根組み０３上に配置された吸収体ストリップ０４を簡略化して示す。屋根カバー０６が屋根組み０３上に載置され、吸収体ストリップが屋根組みの側面を略その全高で覆っていることがわかる。屋根カバー０６上で生じる拡散音波の反射は、矢印によって非常に簡略化して示される。入射音波は、屋根カバー上で反射し、吸収体ストリップ内に導かれ、これにより、吸収体ストリップ０４によって特に良好な吸収効果が達成される。
【００４３】
図３は、残響時間を低減したホール０１の第２の実施形態の、縮尺通りでない天井伏図を示す。ホールの床面積は再び２１．５ｍ×１７．５ｍである。３つの内部屋根組み０３に加えて、ここではさらなる吸収体ストリップ０７が、端壁の上端部および屋根組み間の側壁に配置されている。
【００４４】
図４は、屋根組み０３の簡略断面図を示し、屋根組みは、上弦０８と、下弦０９と、それらの間の補強トラス１０とを有する。吸収体ストリップ０４を固定するために、この場合、保持プロファイル１１が屋根組みに取り付けられる。図の左側には、それぞれ上弦または下弦に固定されている、上側および下側の保持プロファイル１１の間の吸収体ストリップが保持されている。図の右側に示されているように、これに対して代替的に、上弦０８にのみ固定され、しかも、その上縁および下縁の吸収体ストリップを囲む保持プロファイル１１を使用することができる。この場合、保持プロファイル１１は、音を通す裏面１３を有する。好ましい実施形態では、屋根組み上に互いに対向して配置され、かつその裏面が音を通す２つの吸収体ストリップ０４の間には、吸収体ストリップを貫通した音波を反射して吸収体ストリップ内に戻すために、屋根組みの側面と吸収体ストリップとの間に位置付けられた音響反射壁１２がある。好ましくは、吸収体ストリップと反射壁１２との間に空隙が残り、これは音波のさらなる回折をもたらし、これは、発生する干渉およびインピーダンスによる吸収に良い影響をもたらす。
【００４５】
図５は、屋根組み０３上の吸収体ストリップ０４の配置のための、さらなる２つの形成オプションを示す。これらの変形例は、吸収体ストリップがホール完成後に屋根組みに取り付けられるのではなく、屋根組みの吸音設備が既に建築段階中に、好ましくは既に屋根組みの製造時に実施される場合に特に適している。このために、吸収体ストリップ０４は、屋根組み０３に一体化されることが好ましい。図５の図の左側では、吸収体ストリップは、上弦０８と下弦０９との間に挿入され、それによって保持プロファイルを省略することができる。吸収体ストリップは、支持構造１０および／または上弦および下弦に取り付けることができる。図の右側では、吸収体ストリップ０４の第１の部分が、再び、上弦と下弦との間に配置され、一方、さらなる部分が、上弦および下弦の二重Ｔ字形プロファイル内に取り付けられている。これにより、使用可能な吸収体面積が拡大し、また、視覚的デザインも改善される。
【００４６】
図６は、広域周波数範囲における残響時間の複数の測定値曲線を図に示す。個々の曲線は底面積２１．５ｍｘ１７．５ｍ、高さ４．９ｍの同じホールで記録した。
【００４７】
曲線１）（マークなしの破線で表示）は、元のホール、すなわち吸音装置を設置しない残響時間の経過を示す。残響時間は平均１．５２秒であり、したがって音声環境に対してＤＩＮ１８０４１が要求する１．１秒の値を大幅に上回っている（破線）。
【００４８】
曲線２）（四角印のついた実線で表示）は、内側の３つの屋根組み上に図１に示す構成に従った吸収体ストリップ設置後の残響時間を示す。この場合の吸収体ストリップは、６３０ｍｍの幅を有する。残響時間は、全ての周波数で平均０．９３秒まで均等に低減される。
【００４９】
（曲線３）（ひし形印のついた破線で表示）は、屋根組み上の吸収体ストリップに加えて、図３に示された実施形態に対応する側壁および端壁に６３０ｍｍの幅を有するさらなる吸収体ストリップが取り付けられている場合の、ホールにおける残響時間を示す。音響吸収性能は、複数設置することでわずかに改善されるのみである。残響時間は０．８６秒である。
【００５０】
（曲線４）（三角印のついた実線で表示）は、再び図１による構成に従ったホールでの残響時間を示す。吸収体ストリップは、内側の３つの屋根組みのみにある。しかしながら、吸収体ストリップの幅は２倍の１２４０ｍｍになったが、厚さは同じままであった。この方法で、０．６６秒という大幅に低減した残響時間が達成できることがわかる。
【００５１】
本発明にかかる吸音体構成によって達成され得る効果は、床面に平行に走る閉じた吸収面によって同じ吸収性能を達成しようとする場合に、計算上（セイビンの式を使用して）必要となるであろう吸収面と、必要とされる吸収面が比較される場合に、特に明確になる。値を以下の表に示す。
【表１】
2021502502.tif 000003
【００５２】
表に記載された値から、本発明にかかる構成は、必要な吸収体面積を、従来技術によって計算される面積の３０％未満に低減できることが明らかとなる。
【符号の説明】
【００５３】
０１  残響時間を低減したホール
０２  壁
０３  屋根組み
０４  吸収体ストリップ
０５  −−
０６  屋根カバー
０７  側壁の追加の吸収体ストリップ
０８  上弦
０９  下弦
１０  トラス筋交い
１１  保持プロファイル
１２  反射壁
１３  支持プロファイルの音を通す裏面
【図１】
2021502502.tif 000004
【図２】
2021502502.tif 000005
【図３】
2021502502.tif 000006
【図４】
2021502502.tif 000007
【図５】
2021502502.tif 000008
【図６】
2021502502.tif 000009
【国際調査報告】
2021502502.tif 000010
2021502502.tif 000011
2021502502.tif 000012
2021502502.tif 000013